(57)【要約】      （修正有）【課題】組み立てた造形に拡張性があり、組み立てが簡単で行いやすく、構造が安定的である組み合わせにより構築される組み立て式のおもちゃを提供する。【解決手段】長尺片１〜６と、四孔角片７と、ウエハ８と、円弧片９〜１２と、三角片１３〜１５と、ヒンジ片１６と、コーナー部材１７〜２０と、矩形ブロック２１、２２と、ねじ２３と、ナット２４とスリーブ２５とを有する。長尺片、四孔角片、ウエハ、円弧片、三角片及びヒンジ片には、いずれも複数の貫通孔がそれぞれ開設される。コーナー部材は、垂直に接続する２つの側板により構成される。側板には、貫通孔が開設される。矩形ブロックの端面には、内凹設した接続溝が開設される。【選択図】図１
0003220357.tif 000002
【実用新案登録請求の範囲】
【請求項１】
組み合わせにより構築される組み立て式のおもちゃであって、
長尺片と、四孔角片と、ウエハと、円弧片と、三角片と、ヒンジ片と、コーナー部材と、矩形ブロックと、ねじと、ナットとスリーブとを有し、前記長尺片、四孔角片、ウエハ、円弧片、三角片及びヒンジ片には、いずれも複数の貫通孔が開設され、前記コーナー部材は、垂直に接続する2つの側板からなり、前記側板には、貫通孔が開設され、前記矩形ブロックの端面には、内凹設した接続溝が開設される
ことを特徴とする組み合わせにより構築される組み立て式のおもちゃ。
【請求項２】
前記長尺片は、二孔長尺片と、三孔長尺片と、四孔長尺片と、五孔長尺片と、六孔長尺片と七孔長尺片とが選べ、前記二孔長尺片、四孔長尺片及び六孔長尺片の両端は、いずれも突出する半円状構造であり、前記三孔長尺片、五孔長尺片及び七孔長尺片は、全体として長方形構造である
ことを特徴とする請求項１に記載の組み合わせにより構築される組み立て式のおもちゃ。
【請求項３】
前記円弧片は、同じラジアンの四孔円弧片と、五孔円弧片と、六孔円弧片と七孔円弧片とが選べ、前記四孔円弧片、五孔円弧片、六孔円弧片と七孔円弧片は、4つの異なる仮想円上にそれぞれ位置し、この4つの仮想円の半径が徐々に大きくなる
ことを特徴とする請求項１に記載の組み合わせにより構築される組み立て式のおもちゃ。
【請求項４】
前記三角片は、小三角片と、中三角片と大三角片とが選べ、前記小三角片、中三角片と大三角片の3つの外角は、いずれも滑らかなアーチ構造である
ことを特徴とする請求項１に記載の組み合わせにより構築される組み立て式のおもちゃ。
【請求項５】
前記コーナー部材の２つの側板には、同じ構造の貫通孔が対称に開設され、前記コーナー部材は、二孔コーナー部材と、八孔コーナー部材と、十孔コーナー部材と十二孔コーナー部材とが選べる
ことを特徴とする請求項１に記載の組み合わせにより構築される組み立て式のおもちゃ。
【請求項６】
前記矩形ブロックは、単倍矩形ブロックと二倍矩形ブロックとが選べ、前記二倍矩形ブロックの体積は、前記単倍矩形ブロックの体積の2倍である
ことを特徴とする請求項１に記載の組み合わせにより構築される組み立て式のおもちゃ。
【請求項７】
前記スリーブの一端には、ねじに適合する接続溝が開設され、他端には、ナットに適合する接続溝が開設される
ことを特徴とする請求項１に記載の組み合わせにより構築される組み立て式のおもちゃ。
【請求項８】
前記ウエハの端面と円心には、貫通孔がそれぞれ開設され、前記ウエハの端面に位置する貫通孔から円心までの長さは均一である
ことを特徴とする請求項１に記載の組み合わせにより構築される組み立て式のおもちゃ。
【考案の詳細な説明】
【技術分野】
【０００１】
本考案は、組み立て式のおもちゃの技術分野に関連することであり、特に組み合わせにより構築される組み立て式のおもちゃに関するものである。
【背景技術】
【０００２】
組み立て式のおもちゃは構造が変換可能で、子供の実践能力を鍛えられ、非常に人気がある。現在市販されているナット系組み立ておもちゃはサイズが小さく、デスク上に構築するだけに適用する。材料には可動部品が不足しているため、開閉可能なドアや可動関節など、可動が必要な造形を作ることができない。接続のためのねじは一体成型ではなく、２つの部分で構成され、組み立ての過程で抜けやすく、六角形のナットは外観上円形のねじと統一されておらず、構造自体のために収縮し、自由に湾曲して造形することができる可撓性材料が不足し、造形を構築することが制限されている。ねじ用工具が不足しているか、あるいは提供する工具が多様で複雑で、工具の機能がそれぞれ区別しにくく、シンプルで統合的な工具が不足している。幼児の芸術的創造性を支える材料が不足しており、造形を構築するには拡張性がない。市販されている材料はほとんど人形などの躍動感がある造形を構築することができない。
【考案の概要】
【考案が解決しようとする課題】
【０００３】
本考案の目的は、組み合わせにより構築される組み立て式のおもちゃを提供することで、上記のような従来の技術の問題点を解決し、組み立てた造形に拡張性があり、組み立てが簡単で行いやすく、構造が安定的である。
【課題を解決するための手段】
【０００４】
上記のような目的を実現するために、本考案は、以下の解決手段を提供する。
【０００５】
本考案は長尺片と、四孔角片と、ウエハと、円弧片と、三角片と、ヒンジ片と、コーナー部材と、矩形ブロックと、ねじと、ナットと、スリーブとを有する組み合わせにより構築される組み立て式のおもちゃを提供する。前記長尺片、四孔角片、ウエハ、円弧片、三角片及びヒンジ片には、いずれも複数の貫通孔が開設される。前記コーナー部材は、垂直に接続する2つの側板により構成される。前記側板には、貫通孔が開設される。前記矩形ブロックの端面には、内凹設した接続溝が開設される。
【０００６】
前記長尺片は、二孔長尺片と、三孔長尺片と、四孔長尺片と、五孔長尺片と、六孔長尺片と七孔長尺片とが選べる、前記二孔長尺片、四孔長尺片及び六孔長尺片の両端は、いずれも突出する半円状構造である。前記三孔長尺片、五孔長尺片及び七孔長尺片は、全体として長方形構造である。
【０００７】
前記円弧片は、同じラジアンの四孔円弧片と、五孔円弧片と、六孔円弧片と七孔円弧片とが選べる。前記四孔円弧片、五孔円弧片、六孔円弧片と七孔円弧片は、4つの異なる仮想円上にそれぞれ位置し、この4つの仮想円の半径が徐々に大きくなる。
【０００８】
前記三角片は、小三角片と、中三角片と大三角片とが選べる。前記小三角片、中三角片と大三角片の3つの外角は、いずれも滑らかなアーチ構造である。
【０００９】
前記コーナー部材の２つの側板には、同じ構造の貫通孔が対称に開設されることが選べる。前記コーナー部材は、二孔コーナー部材と、八孔コーナー部材と、十孔コーナー部材と十二孔コーナー部材とを有する。
【００１０】
前記矩形ブロックは、単倍矩形ブロックと二倍矩形ブロックとが選べる。前記二倍矩形ブロックの体積は、前記単倍矩形ブロックの体積の2倍である。
【００１１】
前記スリーブの一端には、ねじに適合する接続溝が開設され、他端には、ナットに適合する接続溝が開設されることが選べる。
【００１２】
前記ウエハの端面と円心には、貫通孔がそれぞれ開設されることが選べる。前記ウエハの端面に位置する貫通孔から円心までの長さは均一である。
【考案の効果】
【００１３】
従来の技術に比べて、本考案は、構造を保証した上で全体の材料寸法を拡大し、中型ナットの構造材料とし、応用場所がもっと多様である。可動関節部品を追加し、造形が活動できるようにし、さらに形を象る。丸一体型ねじとナットは、組み合わせ効果をより統一的になる。自由に湾曲できる可撓性材料を追加し、組み立てた造形の角度の限界を突破する。スリーブ工具は両端がフィットし、ねじもナットもねじることができて、シンプルで強力である。芸術の創作に使える片状の材料を追加し、組み立てた造形を拡張性があるものにする。自分の材料を用いて人形を作り、人形の頭飾りと髪飾りを提供し、シーンを豊かに作る。幼児の生活に、機能領域を構築する25個の基礎部品を用い、草花や木などの植物、小鳥やサルやゾウなどの動物、摩天輪や海賊船などの娯楽施設、服装やハンガーなどの生活用品、果物や野菜などの食べ物、橋や家や塔などの建物のような、様々な種類のものを組み合わせることができる。
【図面の簡単な説明】
【００１４】
本考案の実施例又は従来技術における技術的手段をより明確に説明するために、以下、実施例において使用に必要とされる図面を簡単に紹介する。以下の説明における図面は、本考案の一部の実施例にすぎず、当業者にとっては創造的な労働性を払うことなく、さらにこれらの図面に基づいて他の図面を得ることができることは明らかである。
【００１５】
【図１】本考案に係る組み合わせにより構築される組み立て式のおもちゃの部品分解模式図である。
【図２】本考案に係る組み合わせにより構築される組み立て式のおもちゃの実施例１の組立構造模式図である。
【図３】本考案に係る組み合わせにより構築される組み立て式のおもちゃの実施例２の組立構造模式図である。
【００１６】
ここで、1は二孔長尺片、2は三孔長尺片、3は四孔長尺片、4は五孔長尺片、5は六孔長尺片、6は七孔長尺片、8はウエハ、9は四孔円弧片、10は五孔円弧片、11は六孔円弧片、12は七孔円弧片、13は小三角片、14は中三角片、15は大三角片、16はヒンジ片、17は二孔コーナー部材、18は八孔コーナー部材、19は十孔コーナー部材、20は十二孔コーナー部材、21は単倍矩形ブロック、22は二倍矩形ブロック、23はねじ、24はナット、25はスリーブである。
【考案を実施するための形態】
【００１７】
以下、本考案の実施例の図面を組み合わせて、本考案の実施例の技術的解決手段を明確で完全に説明する。その説明は、全ての実施例ではなく、本考案の一部の実施例にすぎないことは明らかである。本考案における実施例に基づいて、当業者が創造的な労働をしないで獲得した他のすべての実施例は、いずれも本考案の保護範囲に属する。
【００１８】
本考案の目的は、組み合わせにより構築される組み立て式のおもちゃを提供することで、上記のような従来の技術の問題点を解決し、組み立てた造形を拡張性があるものにし、組み立てが簡単で行いやすく、構造が安定的になる。
【００１９】
本考案の上記の目的、特徴及び利点をより明らかにするために、以下、図面及び具体的な実施形態を組み合わせて本考案について更に詳細に説明する。
【００２０】
図１が示すとおり、本考案は組み合わせにより構築される組み立て式のおもちゃを提供し、主に長尺片と、四孔角片７と、ウエハ８と、円弧片と、三角片と、ヒンジ片１６と、コーナー部材と、矩形ブロックと、ねじ２３と、ナット２４とスリーブ２５とを有する。長尺片、四孔角片７、ウエハ８、円弧片、三角片及びヒンジ片１６には、いずれも複数の貫通孔が開設される。コーナー部材は、垂直に接続する2つの側板により構成され、２つの側板は一体成形され、側板には貫通孔が開設される。矩形ブロックの端面には、内凹設した接続溝が開設される。四孔角片7は、主に各材料間の接続ノードとなる。ヒンジ片16は、主にドア、窓、蓋などの可動機能を必要とする物体に用いられる。ねじ23とナット24は、各部の材料を接続する。
【００２１】
長尺片は、二孔長尺片１と、三孔長尺片２と、四孔長尺片３と、五孔長尺片４と、六孔長尺片５と七孔長尺片６とが選べる。二孔長尺片１、四孔長尺片３と六孔長尺片５の両端は、いずれも突出する半円状構造である。三孔長尺片2、五孔長尺片4及び七孔長尺片6は、全体として長方形構造である。長尺片は主に物体の骨格線を出すことで、延長、タイル、転向を主とする。円弧片は、同じラジアンの四孔円弧片９と、五孔円弧片１０と、六孔円弧片１１と七孔円弧片１２とが選べる。四孔円弧片９、五孔円弧片１０、六孔円弧片１１と七孔円弧片１２は、4つの異なる仮想円上にそれぞれ位置し、この4つの仮想円の半径が徐々に大きくなる。円弧片は主に物体の局所的な抽象曲線の輪郭と円形の輪郭に対応する。三角片は、小三角片１３と、中三角片１４と大三角片１５とが選べる。小三角片１３、中三角片１４と大三角片１５の3つの外角は、いずれも滑らかなアーチ構造であり、主に物体の局所的な抽象的な輪郭と支持の安定的な役割に対応する。コーナー部材の２つの側板には、同じ構造の貫通孔が対称に開設される。コーナー部材は、二孔コーナー部材１７と、八孔コーナー部材１８と、十孔コーナー部材１９と十二孔コーナー部材２０とが選べ、主に物体の局所的な抽象的な輪郭と支持の強固な役割に対応する。矩形ブロックは、単倍矩形ブロック２１と二倍矩形ブロック２２とが選べる。二倍矩形ブロック２２の体積は、単倍矩形ブロック２１の体積の2倍である。矩形ブロックは主に物体のフレームに垂直に伸び、内部に伸び、ナットを減らす役割を果たす。スリーブ２５の一端には、ねじ２３に適合する接続溝が開設され、他端には、ナット２４に適合する接続溝が開設され、ねじ２３とナット２４をねじるために用いられる。ウエハ８の端面と円心には、貫通孔がそれぞれ開設され、ウエハ８の端面に位置する貫通孔から円心までの長さは均一であり、主に物体の局所的な円形輪郭と各種の乗り物の車輪に対応する。
【００２２】
実施例１において、
本考案の組み合わせにより構築される組み立て式のおもちゃは、組み立てやすく、様式が多様で、組み立てる度に状況に応じて適切な数の部品を選択することができ、毎回ですべての部品を使う必要がない。図2が示すとおり、本実施例では一部の部品を用いて組み立て、ねじ23とナット24で接続して汽船構造となり、部品の七孔円弧片12の隣り合う2つの孔のピッチは等しく、両端の孔のピッチは隣り合う2つの孔のピッチと倍数の関係である。部品十二孔コーナー部材２０は、2次元を3次元に変換する役割、すなわち立体構造を構築する役割を果たすことができる。部品の単倍矩形ブロック21はコーナー部品の不足を補うもので、6面のつなぎ合わせ構造を延長することができる。ねじ23の長さは、3枚の板を通した後にナットで固定できるだけではなく、複数枚の単片板を矩形ブロックの各面に固定する際に相互に干渉しないことを保証することができる。
【００２３】
実施例２において、
図3が示すとおり、本実施例は、一部の部品を用いて組み立て、ねじ23とナット24で接続してバス構造を構成する。ウエハ8は、人物の頭型、車の車輪などとすることができる。二孔長尺片1と四孔長尺片3の両端は半円構造で、調整延長作用がある。三孔長尺片2と七孔長尺片6の両端は方形で、固定延長作用がある。八孔コーナー部材18は、２次元を２次元に変換する役割、すなわち立体構造を構築することができる。
【００２４】
本考案は、実施例2と実施例3の組み立ての方式に限定されるものではない。幼児の生活に、機能領域を構成する25個の基礎部品を用い、草花や木などの植物、小鳥やサルやゾウなどの動物、摩天輪や海賊船などの娯楽施設、服装やハンガーなどの生活用品、果物や野菜などの食べ物、橋や家や塔などの建物のような、様々な種類のものを組み合わせることができる。
【００２５】
本考案には、具体的な例を適用して本考案の原理と実施形態について説明したが、以上の実施例の説明は本考案の方法とその核心思想を理解することに役立つだけで、また、当分野の一般技術者に対しては、本考案の思想に基づいて、具体的な実施形態と応用範囲に変更点がある。以上のように、本明細書の内容は、本考案に対する制限と理解すべきではない。
【図１】
0003220357.tif 000003
【図２】
0003220357.tif 000004
【図３】
0003220357.tif 000005